(57)【要約】【課題】水深調整が行えることは勿論、その上面で烈しい運動をしても滑りにくくすることのできるプールフロアを簡単な構成で提供すること。【解決手段】プール内に沈められて、このプールの水深を浅くするために使用されるプールフロア１０であって、このプールフロア１０の天板１１上にゴムマット２０を敷いたこと。【選択図】図１
2006045985.tif 000002
【特許請求の範囲】
【請求項１】
プール内に沈められて、このプールの水深を浅くするために使用されるプールフロアであって、
このプールフロアの天板上にゴムマットを敷いたことを特徴とするプールフロア。
【請求項２】
前記ゴムマットを、その基部上面に一体的に形成した多数の突起、または前記基部に形成した水抜き穴のいずれか少なくとも一方を備えたものとしたことを特徴とする請求項１に記載のプールフロア。
【請求項３】
前記ゴムマットの側縁をジョイントにより前記プールフロアの側縁に固定するようにしたことを特徴とする請求項１または請求項２に記載のプールフロア。
【請求項４】
前記ジョイントは、前記ゴムマットを押さえる上面と、これから略垂直に垂下する側面とにより構成して、この側面の下端内側に、前記プールフロアの側縁に係止されることになる係合部を一体的に形成したことを特徴とする請求項３に記載のプールフロア。
【請求項５】
前記係合部につまみ部を一体的に形成したことを特徴とする請求項４に記載のプールフロア。
【請求項６】
前記ジョイントの、前記プールフロアの側縁に該当する部分にこれを逃がすための逃がし開口を形成したことを特徴とする請求項３〜請求項５のいずれかに記載のプールフロア。
【発明の詳細な説明】
【技術分野】
【０００１】
本発明は、プール内に沈められて、このプールの水深を浅くするために使用されるプールフロアに関し、特に、その上面にゴムマットを備えたプールフロアに関するものである。
【背景技術】
【０００２】
プールフロアは、プール内に沈められてその水深を浅くするものであり、これによって大人用プールの一部を子供用のものとしたり、腰痛のある人や身体の弱い人が鍛錬のために行う「水中ウオーキング」の場所を形成したりする場合に使用されるものであり、出願人も種々なものを提案してきている。
【０００３】
このようなプールフロア上で子供達が水遊びをしたり、水中ウオーキングを行う場合には、このプールフロア上面が滑りにくいものである必要がある。そのため、従来のプールフロアでは、その天板の表面に凹凸を形成して、この凹凸によって滑りにくいものとすること等がなされてきていたのであるが、この種のプールフロアは合成樹脂によって形成することが多いため、凹凸自体の大きさが重要な問題となる。
【０００４】
つまり、凹凸が小さいと子供用にした場合はよいが、大人の水中ウオーキングには適さないし、逆に凹凸を大きくすれば、大人にとってはよいが、子供にとっては足が痛い等の問題が生ずる。
【０００５】
そこで、本発明者等が、この種のプールフロアについて使用できるような滑り止めとなるものはないかと検討を重ねてきた結果、特許文献１に記載されているような「ウォーキング用マット」が見つかった。
【特許文献１】特開２００２−２２７４４０号公報、要約、代表図
【発明の開示】
【発明が解決しようとする課題】
【０００６】
この特許文献１に示されたマットは、その要約の記載からすると、「互いに強固に連結でき、現場での組み立てや分解が簡単に行える水中ウォーキング用マットと連結フックのセットを提供する」ことを目的として、図１３に示すように、「ウォーキング用マット10は、下面周縁部に溝11が形成され、溝11に対向する上面の部位に貫通孔12が形成され、また上面の略全面に足の裏のツボを刺激するための突起13、14が形成され、１以上の比重を有する。マット10同士を連結する連結フック20は、溝11の深さと略同じ厚みに形成された基板21と、連結時に貫通孔12に挿入される突起22、23とで構成される。突起22、23はマット10に形成される突起13、14と同じ形状をしており、連結状態では突起22、23の頭部がマット10の上面に突出て連結強度を高め、マット使用時は足の裏のツボを刺激するための突起として作用する。マット10を連結フック20によって多数連結し、水泳プールの底面に敷設して、水中ウォーキング時に使用する」といった構成を有したものである。
【０００７】
このマットは、確かに「水泳プールの底面に敷設して、水中ウォーキング時に使用する」ものであるが、プール内の水深の調整は行えないのであり、これのみでは深さのあるプール内において使用することはできない。
【０００８】
また、この特許文献１のマットをプールフロアに使用しようとすると、次のような問題が生ずるものと考えられる。つまり、プールについて使用するということは、プール内の水の流れにも対抗しなければならないし、プール床面に安定的に固定されていなければならないのであるが、この特許文献１のマットでは、水の流れに対抗できないと考えられる。
【０００９】
そこで、本発明者等は、水中で使用するプールフロアについて、水深の調整が行えることは勿論、滑りにくく安定したものとするにはどうしたらよいか、について種々検討を重ねてきた結果、本発明を完成したのである。
【００１０】
すなわち、まず、請求項１に係る発明の目的とするところは、水深調整が行えることは勿論、その上面で烈しい運動をしても滑りにくくすることのできるプールフロアを簡単な構成で提供することにある。
【００１１】
また、請求項２に係る発明の目的とするところは、上記請求項１に係る発明と同様な効果を発揮できる他、使用中の滑り止めを確実にしたり、あるいは水流の影響を受けにくくして、ゴムマット２０が天板上にて安定するようにしたプールフロア１０を提供することにある。
【００１２】
さらに、請求項３に係る発明の目的とするところは、上記請求項１または請求項２に係る発明と同様な効果を発揮できる他、ジョイント３０によってゴムマット２０の安定化をさらに図ることができるようにすることであり、請求項４及び請求項５に係る発明の目的とするところは、上記請求項３に係る発明と同様な効果を発揮できる他、ジョイント３０の取り付け及び取り外し操作を簡単に行えるようにすることであり、そして、請求項６に係る発明の目的とするところは、上記請求項３〜請求項５のいずれかに係る発明と同様な効果を発揮できる他、ゴムマット２０をプールフロア１０に取り付けたジョイント３０のガタ付きを防止することにある。
【課題を解決するための手段】
【００１３】
以上の課題を解決するために、まず、請求項１に係る発明の採った手段は、後述する最良の形態の説明中において使用する符号を付して説明すると、
「プール内に沈められて、このプールの水深を浅くするために使用されるプールフロア１０であって、
このプールフロア１０の天板１１上にゴムマット２０を敷いたことを特徴とするプールフロア１０」
である。
【００１４】
すなわち、この請求項１に係るプールフロア１０は、図１に示すように、合成樹脂製のプールフロア１０を構成している天板１１上にゴムマット２０を敷いたものであり、この天板１１によってプールの深さ調整を行うとともに、その上のゴムマット２０によって、例えば子供達の水遊びや身体の弱い人達の水中ウォーキングを行う際の「滑り止め」を果たしているのである。
【００１５】
このプールフロア１０は、その上にゴムマット２０を敷いたものであるから、プールフロア１０の天板１１に対して特別な滑り止め加工を施す必要がないだけでなく、ゴムマット２０を、大人用あるいは子供用、または単なる水遊び用や水中ウォーキング用といったように適宜選択することによって、プールフロア１０はそのまま使用しながら、選択したゴムマット２０を使用すればよいものとなっている。
【００１６】
勿論、ゴムマット２０は、プールフロア１０の天板１１上に敷いただけであるから、そのプールフロア１０に対する取付や取り外しが簡単に行えるのであり、当該プールフロア１０を使用しない場合の片付けが簡単に行えるものとなっている。
【００１７】
従って、この請求項１のプールフロア１０は、プールにおける水深の深さ調整が行えるだけでなく、その上のゴムマット２０によって、当該プールフロア１０の使用中における滑り止め効果を発揮することができるのである。
【００１８】
上記課題を解決するために、請求項２に係る発明の採った手段は、上記請求項１に記載のプールフロア１０について、
「ゴムマット２０を、その基部２１上面に一体的に形成した多数の突起２２、または基部２１に形成した水抜き穴２３のいずれか少なくとも一方を備えたものとしたこと」
である。
【００１９】
すなわち、この請求項２に係るプールフロア１０は、図２〜図４に示すように、その上に敷いたゴムマット２０を、基部２１上面に一体的に形成した多数の突起２２、または基部２１に形成した水抜き穴２３のいずれか少なくとも一方を備えたものとしたものであり、突起２２だけを形成した場合、水抜き穴２３だけを形成した場合、そして突起２２と水抜き穴２３の両方を備えた場合がある。
【００２０】
各突起２２は、後述する最良形態の場合、図２及び図３に示すように、大小二種類のものとしたものであり、かつ、これらの突起２２を多数形成することにより、子供でも大人でも足裏に当たる数が多くなるようにしてある。これにより、各突起２２によって滑り止め効果を高めるとともに、各突起２２が足裏に当たっても痛くないようにしているのである。勿論、これらの突起２２は、その上で遊技や水中ウォーキングをする人の足裏のマッサージを行うものでもある。
【００２１】
各水抜き穴２３は、当該ゴムマット２０が水流によって影響を受けないようにしたものであるが、図２、図４の（イ）及び（ロ）に示すように、上述した各突起２２の間になるように多数形成したものであり、当該ゴムマット２０をプールフロア１０の天板１１上に載置したとき、天板１１の該当部分を露出させるものである。換言すれば、各水抜き穴２３は、これを通してプール内の水が流れ込み易いだけでなく、一旦流れ込んだ水のプール内への排出も、当該ゴムマット２０の自重程度で簡単に行えるようにしてある。
【００２２】
つまり、このゴムマット２０は、特にその各水抜き穴２３によってプール内の水流による影響が殆どなく、プールフロア１０の天板１１上に安定した状態で位置するものとなっているのであり、当該ゴムマット２０上での水遊びや水中ウォーキングを行うにあたって、全く違和感なく、かつ足に絡まりつくこともないものとなっているのである。
【００２３】
従って、この請求項２に係るプールフロア１０は、上記請求項１のそれと同様な機能を発揮する他、使用中の滑り止めを確実にしたり、あるいは水流の影響を受けにくくして、ゴムマット２０が天板１１上にて安定するものとなっているのである。
【００２４】
以上の課題を解決するために、請求項３に係る発明の採った手段は、上記請求項１または請求項２に記載のプールフロア１０について、
「ゴムマット２０の側縁をジョイント３０によりプールフロア１０の側縁に固定するようにしたこと」
である。
【００２５】
すなわち、この請求項３のプールフロア１０では、図１にも示すように、各ゴムマット２０をジョイント３０を使用して固定するようにしたものである。この請求項３のプールフロア１０では、そのジョイント３０として、後述する最良形態に示すような「Ｌ型」のものであってもよいが、断面「コ字状」にして、天板１１とゴムマット２０とを単に挟み込むようにしたもの、ゴムマット２０に設けた穴を通して天板１１上にネジ止めする「ネジ状」のものであってもよい。
【００２６】
このような各ジョイント３０によって、ゴムマット２０を天板１１上に固定したのであるから、当該プールフロア１０におけるゴムマット２０は、各水抜き穴２３による安定化が図られていることとも相まって、非常に安定した状態で天板１１上に固定されているのである。
【００２７】
従って、この請求項３のプールフロア１０は、上記請求項１または２のそれと同様な機能を発揮することは勿論、ジョイント３０によってゴムマット２０の安定化がさらに図られているのである。
【００２８】
上記課題を解決するために、請求項４に係る発明の採った手段は、上記請求項３に記載のプールフロア１０について、
「ジョイント３０は、ゴムマット２０を押さえる上面３０ａと、これから略垂直に垂下する側面３０ｂとにより構成して、この側面３０ｂの下端内側に、プールフロア１０の側縁に係止されることになる係合部３１を一体的に形成したものとしたこと」
である。
【００２９】
すなわち、この請求項４の発明においては、ゴムマット２０を天板１１上に止めるためのジョイント３０について、ゴムマット２０を押さえる上面３０ａと、この上面３０ａから略垂直下方に垂下する側面３０ｂとからなる、断面が略「Ｌ字状」のものなるようにしたものであり、図１及び図５〜図７に示すような最良形態に係る形状のものとしたものである。
【００３０】
そして、このプールフロア１０においては、ジョイント３０の側面３０ｂの下端内側に、図６及び図７の（ハ）に明瞭に示すように、プールフロア１０の側縁に係止されることになる係合部３１を一体的に形成したものである。
【００３１】
このようにしたジョイント３０を使用してゴムマット２０を天板１１上に固定した場合には、その上面３０ａが、図１及び図５に示したように、ゴムマット２０の上面を天板１１上に押圧することになるとともに、側面３０ｂの下端がプールフロア１０の側縁の下端に届いて、この側面３０ｂの下端内側に形成してある係合部３１がプールフロア１０の側縁下端に係合するのである。
【００３２】
つまり、このジョイント３０は、ゴムマット２０を天板１１上に敷いた状態で、図１にも示したように、プールフロア１０の側方からそのまま嵌合することにより、簡単に、ゴムマット２０の天板１１上に対する固定が行えるのである。勿論、このジョイント３０を取り外す操作においても、このジョイント３０を横方向に引くだけでよいから、簡単に行えるのである。
【００３３】
なお、このジョイント３０についても、プールフロア１０と同様に合成樹脂を使用して一体成形すればよいものであることは当然である。また、このジョイント３０は「Ｌ型」のものであるから、プールフロア１０の側縁のどこでも使用でき、しかも嵩張らずに重ねておくことができるから、収納に便利なものとなっている。
【００３４】
従って、この請求項４のプールフロア１０では、上記請求項３に係るプールフロア１０と同様な効果を発揮する他、ジョイント３０の取り付け及び取り外し操作を簡単に行えるようにすることができるのである。
【００３５】
上記課題を解決するために、請求項５に係る発明の採った手段は、上記請求項４に記載のプールフロア１０について、
「係合部３１につまみ部３２を一体的に形成したこと」
である。
【００３６】
すなわち、この請求項５のプールフロア１０では、その各ジョイント３０について、図５、図６、図７の（ロ）及び（ハ）に示すように、ジョイント３０を構成しているつまみ部３２の内側に係合突起３３を突出状態で形成したものである。
【００３７】
プールフロア１０上のゴムマット２０は、これをプール内に入れたままの状態で外す場合がある。その時、このゴムマット２０は各ジョイント３０によって取り付けてあるから、各ジョイント３０を水中に手を入れて外さなければならないが、これらのジョイント３０は水中に潜らない限りよくは見えない状態にある。このときに、各ジョイント３０に設けたつまみ部３２が役に立つのである。
【００３８】
このつまみ部３２は、各ジョイント３０の係合部３１をプールフロア１０の側縁の下端に取り付けたり外したりするにあたって、係合部３１を少し下方に押し下げる場合に使用するもので、当該ジョイント３０の取り付けや取り外しを簡単に行えるようにしているものである。つまり、係合部３１は天板１１下の外からは見えない部分に位置しているため、このつまみ部３２の存在を指で確かめて、そのまま押し下げれば、ジョイント３０の取り付けや取り外しが簡単に行えることになるのである。
【００３９】
従って、この請求項５のプールフロア１０は、上記請求項４のそれと同様な効果を発揮する他、ジョイント３０の取り付け及び取り外し操作がより一層簡単に行えるものとなっているのである。
【００４０】
そして、上記課題を解決するために、請求項６に係る発明の採った手段は、上記請求項３〜請求項５のいずれかに記載のプールフロア１０について、
「ジョイント３０の、プールフロア１０の側縁に該当する部分にこれを逃がすための逃がし開口３６を形成したこと」
である。
【００４１】
すなわち、この請求項６のプールフロア１０において使用しているジョイント３０は、図８の（イ）〜（ハ）に示すように、その上面３０ａの一部に逃がし開口３６を形成したものであり、この逃がし開口３６においてはプールフロア１０の側面が当たらないようにしたものである。
【００４２】
つまり、当該ジョイント３０は、プールフロア１０の側縁に対して言わば嵌め込んで使用されるものであるが、そのはめ込みの対象であるプールフロア１０の側縁側に、長期間の使用によってできた部分的な突起があったり、あるいはジョイント３０自体のはめ込みが少し傾斜した状態でなされた場合、取り付け完了後のジョイント３０に「ガタ」が生ずることがある。ところが、この請求項６のジョイント３０では、その逃がし開口３６内にプールフロア１０側の突起等が入り込むため、そのような「ガタ」がこの逃がし開口３６によって吸収されるのである。
【００４３】
また、この逃がし開口３６は、当該ジョイント３０の周囲の水の流れも円滑にするものである。このため、プール内に水流が発生したとき、この水流は各ジョイント３０の逃がし開口３６を自由に出入りすることになり、当該ジョイント３０が水流によって外れたりするようなことはない。
【００４４】
従って、この請求項６のプールフロア１０は、上記請求項３〜請求項５のいずれかに記載のそれと同様な効果を発揮できる他、ゴムマット２０をプールフロア１０に取り付けたジョイント３０のガタ付きを防止することができるのである。
【発明の効果】
【００４５】
以上詳述した通り、本発明においては、
「プール内に沈められて、このプールの水深を浅くするために使用されるプールフロア１０であって、
このプールフロア１０の天板１１上にゴムマット２０を敷いたこと」
にその構成上の主たる特徴があり、これにより、
プールにおける水深の深さ調整が行えるだけでなく、その上のゴムマット２０によって、当該プールフロア１０の使用中における滑り止め効果を発揮することができるプールフロア１０を提供することができるのである。
【発明を実施するための最良の形態】
【００４６】
次に、上記のように構成した各請求項に係る発明を、図面に示した最良の形態であるプールフロア１０について説明するが、この最良形態のプールフロア１０は、上記各請求項に係る発明の全てを実質的に含むものである。
【００４７】
図１には、本発明に係るゴムマット２０を備えたプールフロア１０の斜視図が示してあるが、このプールフロア１０は、図示しないプール内に沈められて、このプールの水深を浅くするために使用されるものであるが、このプールフロア１０の天板１１上にゴムマット２０を敷いたものである。
【００４８】
このプールフロア１０は、塩化ビニール等の合成樹脂を材料として、水中に沈み込むように、比重が１．５５程度になるように形成したもので、図１、図１１、及び図１２に示したように、天板１１と、この天板１１を支持する複数の脚１２とを備えたものである。
【００４９】
本最良形態の天板１１は、図１０に示したように、下向き「コ字状」にした複数の板を連結して形成したもので、各板の間には、１ｍｍ程度の深さの隙間が形成されているものである。この隙間に対しては、ゴムマット２０の水抜き穴２３が対向することになる。
【００５０】
各脚１２は、折り畳み可能なボックス状のものとしてあり、当該プールフロア１０の不使用時には、これを天板１１下に折り込んでおけるようにしたものである。また、展開した各脚１２に、図１及び図１１に示したように、潜り防止板１３を取り付けておいて、各脚１２間に子供が潜り込めないようにして子供の事故防止を図るようにしてある。
【００５１】
プールフロア１０の天板１１上に固定されるゴムマット２０は、水中に沈み込まなければならないから、比重が１．３程度のもので、一枚の重さが約７Ｋｇとなるようにしたものであり、図１〜図５に示すように、天板１１上に載置されることになる基部２１と、この基部２１の表面に多数形成した大小の突起２２と、これらの突起２２の間に位置する基部２１に形成した水抜き穴２３とを備えている。なお、このゴムマット２０の基部２１の裏面に突起を形成してもよいが、本最良形態のものでは、基部２１の裏面は平面としてある。
【００５２】
各突起２２は、特許文献１のものと同様に、足裏のマッサージと、当該ゴムマット２０上を歩く人に対する滑り止めを行うものであるが、その平面形状は、図２及び図３に示すように、円形の場合は勿論、楕円や多角形状のものが適用できるものである。勿論、各突起２２の上端は、足が触れても痛くないように、丸い方がよい。
【００５３】
各突起２２間に形成した水抜き穴２３は、プール内の水の、基部２１に対する出入りを行わせるものであって、例えばプール内に沈めたプールフロア１０に、後から当該ゴムマット２０を天板１１上に載置するときの水抜きを行うものであり、当該ゴムマット２０が早く天板１１上に載置できるようにしたものである。また、各水抜き穴２３は、天板１１上に載置したゴムマット２０に対して水流が発生したときに、この支流をうまく逃がす役目も果たすものであり、当該ゴムマット２０の水中でのバタツキを防止するものでもある。
【００５４】
この水抜き穴２３は、最良形態で例示したような真円にすることは勿論、楕円や多角形状のものとして実施してもよいが、その大きさは、足裏が触れたときに感じないようにするため、例えば上記各突起２２と同等か若しくはこれよりも小さくするとよい。また、各水抜き穴２３を形成している内側面の形状としては、垂直になるようにしたり、あるいは下が広い「ハの字形状」となるようにしたりするとよい。当該水抜き穴２３に対する水の流れを良好にしながら、かつ、当該水抜き穴２３によって痛みを感じないようにするためである。
【００５５】
また、この水抜き穴２３は、ゴムマット２０を天板１１上に載置する際、図１０に示したように、天板１１側に形成されている隙間に対向するようにするとよい。何故なら、各水抜き穴２３を通して、プール内に発生した水流が通り抜けたり浸入したりすることになり、天板１１上に対するゴムマット２０の安定化を十分確保するからである。本最良形態のゴムマット２０では、この水抜き穴２３が多数形成してあるし、天板１１の方にも隙間が何列もあるため、図１０に示したように、大多数の水抜き穴２３は天板１１側の隙間に対向するものとなる。
【００５６】
本最良形態のゴムマット２０では、各突起２２と各水抜き穴２３との関係として、複数のゴムマット２０を少しズラせて重ねたとき、一方のゴムマット２０の水抜き穴２３内に、他方のゴムマット２０の突起２２が入り込むようにしてある。これにより、複数のゴムマット２０を重ねるときの位置決めや、ロースタック（無駄な空間が発生しないように重ね合わせること）ができるのである。
【００５７】
また、本最良形態のゴムマット２０では、図２に示したように、その側部に複数のジョイント係合凹部２４が形成してある。このジョイント係合凹部２４は、後述するジョイント３０の上面３０ａが挿入される部分であり、ジョイント３０の固定箇所の明示と、ジョイント３０の固定の安定化を図るためのものである。また、このジョイント係合凹部２４の最奥には、図２及び図５に示したように、後述するジョイント３０の係合突起３３が嵌合されることになる嵌合穴２５が形成してあるが、この嵌合穴２５は、離れた２つの係合突起３３が同時に嵌り込んでジョイント３０の位置決めが行えるようにするために、長穴としてある。
【００５８】
なお、各ゴムマット２０の互いに突き合わせられることになる縁の下面には、連結具４０が嵌め込まれる裏欠き部２６が形成してあって、図９に示したように、この裏欠き部２６を使用して複数のゴムマット２０の連結が行えるようにしてある。連結具４０は、図９に示したように、基板の上に２つの係合突起４１を一体的に形成したものであり、この基板が上記各裏欠き部２６内に嵌合されるとともに、この裏欠き部２６の近傍にある水抜き穴２３を係合穴としてこの水抜き穴２３内に各係合突起４１が嵌合されるのである。
【００５９】
このゴムマット２０は、これをプールフロア１０上に載置したときには、下面が平面としてあることから天板１１に略密着状態にある。このため、プール内に強い水流が発生していないときには、このゴムマット２０はプールフロア１０上に安定状態で乗っている。プール内に強い水流が発生したときには、このゴムマット２０がプールフロア１０から浮くことがあり得るが、ゴムマット２０には水抜き穴２３が形成してあったから、強い水流がこの水抜き穴２３から抜けることになり、水流による影響が直ちになくなる。つまり、ゴムマット２０がプールフロア１０から浮くことがあっても、それは部分的であり、各水抜き穴２３から水流が抜けることにより、プールフロア１０上からの浮き上がりは数ミリ程度であってしかも直ちになくなるのである。
【００６０】
以上のゴムマット２０は、図１に示したように、各ジョイント３０によってプールフロア１０の天板１１上に固定される。ジョイント３０は、図５〜図８に示したように、ゴムマット２０側のジョイント係合凹部２４内に挿入されてゴムマット２０を天板１１上に押圧することになる上面３０ａと、この上面３０ａから面取り３５を介して下方に延在して、上面３０ａとともに「Ｌ字状」を構成することになる側面３０ｂとからなっている。
【００６１】
ジョイント３０の上面３０ａには、図７及び図８の各（イ）及び（ロ）に示したように、先端側になる部分に形成した２つの係合突起３３と、中央部の１つの排水口３４とが形成してある。２つの係合突起３３は、上述したように、ゴムマット２０側の嵌合穴２５に同時に嵌合されて、上面３０ａの固定と位置決めを行うものであり、排水口３４は、例えば水中で当該ジョイント３０の固定のし直しを行う際に、水の出入りを可能にするものであり、ジョイント３０がゴムマット２０にピッタリくっついてしまわないようにするものである。
【００６２】
一方、各ジョイント３０の側面３０ｂには、図７及び図８の各（ロ）及び（ハ）に示したように、係合部３１が一体的に形成してある。この係合部３１は、図５に示すように、プールフロア１０の側縁に係合されることになるものであり、当該ジョイント３０のゴムマット２０あるいはプールフロア１０に対する固定を確実にするためのものである。つまり、この係合部３１は、ジョイント３０の上面３０ａをゴムマット２０のジョイント係合凹部２４に横方向から差し込んで、その差し込むの終了時において、図６に示したように、プールフロア１０の側縁の下端に係合されるものであり、この係合部３１と上面３０ａとの協働によって当該ジョイント３０の固定を確実にするものである。
【００６３】
また、本最良形態のジョイント３０においては、図６にも示したように、側面３０ｂに形成してある係合部３１の内側につまみ部３２が一体的に形成してある。このつまみ部３２は、これをつまんだり、あるいはこれに指を掛けたりするためのものであり、そのことによって、当該ジョイント３０の取り外しを簡単に行えるようにするものである。
【００６４】
図８には、上述したジョイント３０の第２実施例が示してあるが、このジョイント３０では、上面３０ａと面取り３５とに跨る部分に逃がし開口３６が形成してある点が、図７に示したジョイント３０と異なるものである。その他の部分は、図７のジョイント３０と同様であるので、この図８中に同一符号を付して、逃がし開口３６以外の構成部分については、その説明を省略する。
【００６５】
図８に示したジョイント３０の逃がし開口３６は、図８の（イ）〜（ハ）に示したように、プールフロア１０の側面が当たらないようにしたものであり、長期間の使用によってプールフロア１０の側縁側に部分的な突起等できたとしても、このプールフロア１０側の突起等が逃がし開口３６内に入り込むため、これによる「ガタ」を吸収するのである。
【００６６】
なお、本最良形態のゴムマット２０は、一台のプールフロア１０について２枚使用する大きさのものとしたものであり、図９に示したように、その互いの突き合わせ面において、連結具４０によって連結される。この連結具４０は、その基部をゴムマット２０側に形成した裏欠き部２６内に挿入するようにしたものであり、この基部の中央上面に、ジョイント係合凹部２４近傍の水抜き穴２３内に嵌合されることになる２つの係合突起４１を有したものでありる。
【図面の簡単な説明】
【００６７】
【図１】本発明に係るプールフロアの斜視図である。
【図２】同プールフロアの天板上に載置されるゴムマットの部分平面図である。
【図３】同ゴムマットの正面図である。
【図４】同ゴムマットの断面を示すもので、（イ）は図２中の３−３線に沿ってみた断面図、（ロ）は図２中の４−４線に沿ってみた断面図、（ハ）は図２中の５−５線に沿ってみた断面図である。
【図５】図１中の１−１線及び図７の（イ）中の２−２線に沿ってみた部分拡大断面図である。
【図６】本発明のプールフロアにおいて使用されるジョイントの側面図である。
【図７】同ジョイントの第１実施例を示すもので、（イ）は平面図、（ロ）は底面図、（ハ）は背面図である。
【図８】同ジョイントの第２実施例を示すもので、（イ）は平面図、（ロ）は底面図、（ハ）は背面図である。
【図９】２つのゴムマットを連結するための連結具の拡大断面図である。
【図１０】図１中の６−６線に沿ってみた部分拡大断面図である。
【図１１】本発明に係るプールフロアを示すもので、（イ）は正面図、（ロ）は側面図である。
【図１２】同プールフロアの底面図である。
【図１３】従来の技術を示す斜視図である。
【符号の説明】
【００６８】
１０    プールフロア
１１    天板
１２    脚
１３    潜り防止板
２０    ゴムマット
２１    基部
２２    突起
２３    水抜き穴
２４    ジョイント係合凹部
２５    嵌合穴
２６    裏欠き部
３０    ジョイント
３０ａ  上面
３０ｂ  側面
３１    係合部
３２    つまみ部
３３    係合突起
３４    排水口
３５    面取り
３６    逃がし開口
４０    連結具
４１    係合突起
【図１】
2006045985.tif 000003
【図２】
2006045985.tif 000004
【図３】
2006045985.tif 000005
【図４】
2006045985.tif 000006
【図５】
2006045985.tif 000007
【図６】
2006045985.tif 000008
【図７】
2006045985.tif 000009
【図８】
2006045985.tif 000010
【図９】
2006045985.tif 000011
【図１０】
2006045985.tif 000012
【図１１】
2006045985.tif 000013
【図１２】
2006045985.tif 000014
【図１３】
2006045985.tif 000015